(57)【特許請求の範囲】
【請求項１】
化粧材用部材に化粧材用フィルム材が積層され、
前記化粧材用部材は、
反射部材と、透過光に与える位相差が異なる第１及び第２の領域を備えた位相差層とを備え、
前記化粧材用フィルム材は、
直線偏光板と、透過光に与える位相差が異なる第１及び第２の領域を備えた位相差層とを備え、
前記化粧材用部材と前記化粧材用フィルム材との間に、透明板材が配置され、この透明板材により前記化粧材用部材と前記化粧材用フィルム材とが離間して配置される
化粧材。
【請求項２】
前記化粧材用部材及び前記化粧材用フィルム材が、
透明部材を介して積層された
請求項１に記載の化粧材。
【請求項３】
前記化粧材用部材の位相差層及び前記化粧材用フィルム材の位相差層は、
前記第１及び第２の領域が交互に繰り返された
請求項１又は請求項２に記載の化粧材。
【請求項４】
前記化粧材用部材及び前記化粧材用フィルム材の前記第１及び第２の領域は、
遅相軸方向が直交する領域である
請求項１、請求項２、請求項３の何れかに記載の化粧材。
【発明の詳細な説明】
【技術分野】
【０００１】
本発明は、例えば壁材、間仕切り等に利用可能な化粧材に関する。
【背景技術】
【０００２】
従来、壁材、間仕切り等に利用する化粧材については、種々に意匠的な工夫が図られており、特に奥行き感、立体感を醸し出す工夫が種々に提案されている。
【０００３】
具体的に、特許文献１、２には、透明層により浮かせて遮光インキ模様を配置することにより、奥行き感、立体感を確保する構成が開示されている。また特許文献３には、光沢模様を介して艶消インキ模様を配置することにより、光沢模様に比して艶消インキ模様が視覚的に奥まって見える効果を利用して奥行き感、立体感を醸し出す工夫が提案されている。また特許文献４には、直線偏光板を切り貼りしてなるフィルム材を使用して奥行き感を醸し出す方法が提案されている。
【０００４】
ところでこの種の化粧材に関して、従来とは異なる特異な意匠性を確保することができれば、一段とこの種の化粧材の適用範囲を拡大することができると考えられる。
【先行技術文献】
【特許文献】
【０００５】
【特許文献１】実公昭１５−５９３５号公報
【特許文献２】特公平１−２５７０３号公報
【特許文献３】特公昭４９−３９１６６号公報
【特許文献４】特許３９９８０６６号公報
【発明の概要】
【発明が解決しようとする課題】
【０００６】
本発明はこのような状況に鑑みてなされたものであり、従来の化粧版に比して特異な意匠性を確保することができる化粧材を提供することを目的とする。
【課題を解決するための手段】
【０００７】
具体的には、本発明では、以下のようなものを提供する。
【０００８】
（１）  化粧材用部材に化粧材用フィルム材が積層され、
前記化粧材用部材は、
反射部材と、透過光に与える位相差が異なる第１及び第２の領域を備えた位相差層とを備え、
前記化粧材用フィルム材は、
直線偏光板と、透過光に与える位相差が異なる第１及び第２の領域を備えた位相差層とを備える化粧材。
【０００９】
（１）によれば、化粧材用部材の第１及び第２の領域に対する、化粧材用フィルム材の第１及び第２の領域の重なり合いにより、直線偏光板を透過して入射する入射光に対して、化粧材用フィルム材の位相差層で付与した位相差を、化粧材用部材の位相差層で打ち消したり、増大させたりした後、反射部材で反射することになる。またこの反射部材で反射した反射光についても、反射部材の位相差層により付与した位相差を、化粧材用フィルム材の位相差層により打ち消したり、増大させたりして直線偏光板に入射することになる。これにより化粧材用部材の第１及び第２の領域に対する、化粧材用フィルム材の第１及び第２の領域の重なり合いにより、例えば何ら色味を帯びることの無い領域と、位相差層の波長分散特性に応じた色合いを備えた領域とを見て取ることができる。このような色合いを備えた領域は、透明感を備えており、また表面が平坦な部位に模様を構成することになる。またさらに斜め方向より見ると、その化粧材用部材の反射面により反射して、この透明感を備えた像が、恰も、この反射面と化粧材用フィルム材との間に対応する部材が存在するように見て取られる。これにより奥行き感、立体感を知覚させることができる。これらにより特異な意匠性を醸し出すことができる。
【００１０】
（２）  （１）において、
前記化粧材用部材及び前記化粧材用フィルム材が、
透明部材を介して積層された化粧材。
【００１１】
（２）によれば、透明部材を介して化粧材用部材及び前記化粧材用フィルム材を積層することにより、より一段と奥行き感、立体感を醸し出すことができ、一段と特異な意匠性を醸し出すことができる。
【００１２】
（３）  （１）又は（２）において、
前記化粧材用部材の位相差層及び前記化粧材用フィルム材の位相差層は、
前記第１及び第２の領域が交互に繰り返された化粧材。
【００１３】
（３）によれば、ストライプ状等の繰り返し模様により、透明感を有する色合いを備えた領域を形成することができる。
【００１４】
（４）  （１）、（２）、（３）の何れかにおいて、
前記化粧材用部材及び前記化粧材用フィルム材の前記第１及び第２の領域は、
遅相軸方向が直交する領域である化粧材。
【００１５】
（４）によれば、より具体的構成により、何ら色味を帯びることの無い領域と、位相差層の波長分散特性に応じた色合いを備えた領域とを見て取ることができる。
【００１６】
（５）  反射部材と、透過光に与える位相差が異なる第１及び第２の領域を備えた位相差層とを備えた化粧材用部材。
【００１７】
（５）によれば、直線偏光板と、透過光に与える位相差が異なる第１及び第２の領域を備えた位相差層とを備える化粧材用フィルム材と積層して、従来の化粧版に比して特異な意匠性を醸し出すことができる化粧材を構成することができる。
【発明の効果】
【００１８】
本発明によれば、従来の化粧版に比して特異な意匠性を醸し出すことができる。
【図面の簡単な説明】
【００１９】
【図１】本発明の第１実施形態に係る化粧材を示す図である。
【図２】図１の化粧材の説明に供する図である。
【図３】図１の化粧材の製造工程を示す図である。
【図４】本発明の第２実施形態に係る化粧材の説明に供する図である。
【発明を実施するための形態】
【００２０】
〔第１実施形態〕
図１は、本発明の第１実施形態に係る化粧材の説明に供する断面図である。化粧材１は、壁面、パーテーション等の貼り付け対象２に、図示しない粘着剤等により貼り付けて保持される板材、シート材であり、紫外線硬化性樹脂、熱硬化性樹脂等による接着剤層５により化粧材用部材３に化粧材用フィルム材４を積層して作製される。この実施形態では、この化粧材１により形成される模様により貼り付け対象２の貼り付け面が装飾される。
【００２１】
ここで化粧材用部材３は、反射部材６と位相差フィルム７とを積層して構成された板材、シート材、フィルム材である。化粧材用フィルム材４は、直線偏光板８と位相差フィルム９とを積層して構成される。化粧材１は、位相差フィルム７、９が内側となるように、化粧材用部材３と化粧材用フィルム材４とが積層一体化され、化粧材用部材３の反射部材６側面が貼り付け対象に貼り付けられて保持される。
【００２２】
ここで反射部材６は、位相差フィルム７側面に反射面を有する各種の部材であり、金属等による反射面を備えた板状部材、表面に反射面を備えたシート材、反射フィルム等を適用することができる。この実施形態において、反射部材６は、反射面を備えたフィルム材である反射フィルムが適用される。この反射部材６に設けられる反射面は、化粧材１で形成される模様を明瞭にかつ奥行き感、立体感を有するように認識させる観点からは、鏡面であることが望ましい。しかしながらこの化粧材１で形成される模様をぼやかして、より装飾的とする観点からは、この反射面に拡散反射機能を設けるようにしてもよい。
【００２３】
位相差フィルム７、９は、透過光に与える位相差が異なる第１及び第２の領域Ａ及びＢを備えてなるフィルム材であり、この実施形態では、この第１及び第２の領域Ａ及びＢが帯状に形成されて、交互に繰り返すように形成される。位相差フィルム７、９は、この第１及び第２の領域Ａ及びＢの繰り返し方向が、直線偏光板８の透過軸方向又は吸収軸方向と直交する方向となるように配置される。またこの第１及び第２の領域Ａ及びＢにおける進相軸方向が、直線偏光板の透過軸方向に対して斜め４５度の角度を成すように、また第１及び第２の領域で直交するように形成される。
【００２４】
位相差フィルム７、９は、このように構成されて、透過光に与える位相差が等しくなるように、また波長分算特性がほぼ等しい材料により、より好ましくは同一の材料により作製される。また位相差フィルム７、９は、位相差フィルム７、９で付与される位相差を加算した場合に、その加算値が１２０ｎｍ以上５５０ｎｍ以下となるように作製され、これにより後述する領域ＡＲ２で効率良く所望の色味を確保できるようにする。
【００２５】
図２に示すように、このように構成すると、位相差フィルム７の領域Ａと位相差フィルム９の領域Ａが重なり合う領域ＡＲ１、位相差フィルム７の領域Ｂと位相差フィルム９の領域Ｂが重なり合う領域ＡＲ１においては、位相差フィルム９で付与された透過光の位相差が、位相差フィルム７の位相差層７Ａで打ち消され、直線偏光板８からの直線偏光による入射光の偏光面を維持したままの直線偏光により反射部材（反射フィルム）６で反射することになる。またこの反射部材６の反射光は、位相差フィルム７の位相差層７Ａにおいて位相差が付与された後、この位相差が続く位相差フィルム９の位相差層９Ａで打ち消され、結局、入射時と同一の直線偏光により直線偏光板８を透過して出射されることになる。また位相差層７Ａ、９Ａで同一の波長分散特性により位相差が打ち消されることにより、何ら色味を帯びることになく、この重なり合う領域ＡＲ１が認識されることになる。
【００２６】
これに対して位相差フィルム７の領域Ａと位相差フィルム９の領域Ｂとが重なり合う領域ＡＲ２、及び位相差フィルム７の領域Ｂと位相差フィルム９の領域Ａとが重なり合う領域ＡＲ２では、位相差フィルム９で付与された透過光の位相差に対して、位相差フィルム７の位相差層７Ａで位相差が加算され、その結果、直線偏光板８からの直線偏光による入射光は、位相差フィルム７，９の位相差の加算値による楕円偏光により反射部材６で反射することになる。またこの反射部材６の反射光は、位相差フィルム７の位相差層７Ａにおいて位相差が付与された後、この位相差に続く位相差フィルム９の位相差層９Ａで位相差が付与され、直線偏光板８を透過して出射されることになる。このとき、この領域ＡＲ２からの出射光は、位相差層７Ａ、９Ａで位相差が加算されていることにより、位相差層７Ａ、９Ａにおける波長分散特性に応じた楕円率による楕円偏光により直線偏光板８に入射することになる。これにより出射光量が波長に応じて変化することになり、その結果、この領域ＡＲ２においては、位相差層７Ａ、９Ａの波長分散特性に応じて色味を帯びて知覚されることになる。
【００２７】
これによりこの化粧材１では、この帯状領域Ａ及びＢの重なり合いによるストライプ模様により貼り付け対象２を装飾してなる意匠的な装飾効果を得ることができる。
【００２８】
すなわちこのような帯状領域Ａ、Ｂの重なり合いの領域ＡＲ２における模様は、透明感を有し、直線偏光板８の透過時における直線偏光板８による吸収により色味を帯びることにより、反射部材６の反射面より浮き上がっているかのように認識され、これにより奥行き感、立体感を醸し出すことができる。また化粧材１の表面が平坦であることにより、このように形成される模様は、表面が平坦な部位に作製され、その結果、化粧材１の内側に設けられているかのように見て取られる。またさらに斜め方向より見ると、反射部材６の反射面により反射して、表面から見て取られる模様とは別に、透明感を備えた像が見て取られることにより、恰も、この反射面と化粧材用フィルム材との間に、この像に係る部材が存在するかのように見て取られる。これらにより奥行き感、立体感を醸し出すことができる。
【００２９】
なおこれにより必要に応じて後述する位相差フィルム９における基材の厚みを厚くすることにより、また化粧材用部材３と化粧材用フィルム材４との間隔を広げることにより、一段と奥行感、立体感を醸し出すことができる。なおこのようにして反射面に対して位相差フィルム９を遠ざけるようにすると、この実施の形態では、斜め方向から見た場合に、恰も化粧材用部材３と化粧材用フィルム材４との間に、何ら厚みの無い桟を配置しているかのように見て取ることができ、一段と特異な意匠性を確保することができる。
【００３０】
このような帯状領域Ａ、Ｂの重なり合いの領域ＡＲ２は、例えば化粧材用部材３に対して化粧材用フィルム材４を傾けて配置する場合には、ひし形模様の繰り返し模様とすることができ、また極端に傾けて帯状領域Ａ、Ｂの延長方向が直交するように配置すると、市松模様とすることができる。また透過光の位相差を乱す、例えばリタデーション値の大きな透明フィルム材を、化粧材用部材３と化粧材用フィルム材４との間に切り貼りして配置したりすることにより、この透明フィルム材を配置した部位における模様の色彩を変更したり、この部位を虹色に変更したりすることができる。これにより自由かつ柔軟に、従来に比して奥行き感、立体感を醸し出すことができる化粧材を提供することができる。
【００３１】
なお位相差フィルム７、９のパターンニングは、ストライプ状に限らず、例えば市松模様状に作製する場合、三角形形状、円形形状、矩形形状等により領域Ａを形成し、他の部位を領域Ｂにより形成する場合等、種々の形状によるパターンニングを広く適用することができる。
【００３２】
また位相差フィルム７，９の位相差を異ならせるようにしてもよい。このようにすれば帯状領域Ａ、Ｂの重なり合いの領域ＡＲ１についても、位相差層の波長分散特性に応じた色味とすることができる。
【００３３】
〔各部の詳細構成〕
〔直線偏光板〕
ここで直線偏光板８は、直線偏光板として機能する各種の光学素子を広く適用することができ、例えばポリビニルアルコール（ＰＶＡ）にヨウ素等を含浸させて延伸することにより直線偏光板としての光学的機能を図る光学機能層を作製した後、この光学的機能層を光学的異方性の小さな透明フィルム材（例えばＴＡＣ（トリアセチルセルロース）である）により挟持して構成される。
【００３４】
〔反射部材〕
ここで反射部材６に係る反射フィルムは、金属反射膜をＰＥＴ（ポリエステル）等のフィルム材の表面に作製した蒸着フィルム、アルミニウム等による金属箔をＰＥＴ等のフィルム材の表面に積層して作製したラミネートフィルム等、各種の反射フィルムを適用することができる。
【００３５】
〔位相差フィルム〕
位相差フィルム７、９は、光学的異方性の小さな透明フィルム材による基材７Ｂ、９Ｂに、配向層７Ｃ、９Ｃを作製した後、この配向層７Ｃ、９Ｃの配向規制力により液晶材料を配向させた状態で固化して位相差層７Ａ、９Ａを作製して形成される。
【００３６】
ここで基材７Ｂ、９Ｂには、この種の位相差フィルムに適用可能な各種の透明フィルム材を広く適用することができ、例えばＴＡＣ（トリアセチルセルロース）フィルム材」が適用される。
【００３７】
配向層７Ｃ、９Ｃは、ラビング処理により作製してもよく、光配向層により作製しても良く、ラビング処理により作製した微細凹凸形状を賦型処理して作製してもよい。この実施形態において、配向層７Ｃ、９Ｃは、光配向層により構成され、より具体的には、一旦配向した後には、紫外線の照射によって配向が変化しない、例えば光２量化型の材料、異性化材料を使用して作製される。なおこの光２量化型の材料は、「M.Schadt,  K.Schmitt,  V.  Kozinkov  and  V.  Chigrinov  :  Jpn.  J.  Appl.Phys.,  31,  2155  (1992)」、「M.  Schadt,  H.  Seiberle  and  A.  Schuster  :  Nature,  381,  212  (1996)」等に開示されている。また異性化材料は、特許第５１７０４６８号公報、国際公開第ＷＯ１３／１９１２５１号、国際公開第ＷＯ１４／０１０６８８号等に開示の構成を適用することができる。
【００３８】
位相差層７Ａ、９Ａは、光学異方性を発現する液晶材料である各種の重合性液晶組成物を適用することができる。ここでこの重合性液晶組成物は、液晶性を示し、分子内に重合性官能基を有する液晶化合物（以下、「棒状化合物」ともいう。）のほか、アンチブロッキング剤等を含有させることができる。
【００３９】
位相差層７Ａ、９Ａに係る棒状化合物は、屈折率異方性を有し、配向層７Ｃ、９Ｃの配向規制力により規則的に配列することにより、所望の位相差性を付与する機能を有する。棒状化合物として、例えば、ネマチック相、スメクチック相等の液晶相を示す材料が挙げられるが、他の液晶相を示す液晶化合物と比較して規則的に配列させることが容易である点で、ネマチック相を示す棒状化合物を用いることがより好ましい。
【００４０】
本実施形態において用いられる棒状化合物の具体例としては、例えば、下記式（１）〜（１３）で表される化合物を例示でき、これらの化合物を重合させて使用することができる。
【００４１】
【化１】
0006520275.tif 000002
【００４２】
なお転写法により、反射部材６、直線偏光板８にそれぞれ位相差層７Ａ、９Ａのみを直接配置するようにしてもよい。なお転写法とは、例えば基材の上に所望の層を形成する場合に、この層を直接当該基材上に形成するのでは無く、一旦、離型性の支持体上に剥離可能に該層を積層形成して転写体を作製した後、工程、需要等に応じて、該支持体上に形成した層を、最終的に該層を積層すべき基材（被転写基材）上に接着、積層し、その後、該支持体を剥離除去することにより、該基材上に所望の層を形成する方法である。
【００４３】
〔製造工程〕
図３は、化粧材１の製造工程を示すフローチャートである。この製造工程では、塗工工程ＳＰ２において、光配向層に係る塗工液を基材７Ｂ、９Ｂに塗工した後、乾燥して光配向層の材料層が作製される。続いてパターン露光工程ＳＰ３において、領域Ａに対応する部位をマスクした状態で、直線偏光の紫外線の照射により領域Ｂに対応する領域に配向規制力を発現させ、続いてこれと直交する方向が偏光面である紫外線を全面に照射して領域Ａに対応する領域に配向規制力を発現させ、これにより配向層７Ｃ、９Ｃを作製する。
【００４４】
続いて位相差層７Ａ、９Ａに係る塗工工程ＳＰ４において、位相差層７Ａ、９Ａに係る塗工液を塗工した後、乾燥させ、続く硬化工程ＳＰ５において、紫外線の照射により硬化させ、これにより位相差層７Ａ及び９Ａを作製する。これによりこの製造工程は位相差フィルム７、９を作製する。この製造工程は、続く貼り合せ工程ＳＰ６において、別工程で作成された直線偏光板８に位相差フィルム９を貼り付け、化粧材用フィルム材４を作製する。また反射部材６に位相差フィルム７を貼り付け、化粧材用部材３を作製する。
【００４５】
さらに続く貼り合せ工程において、化粧材用フィルム材４と化粧材用部材３をと積層して一体化する。
【００４６】
〔実施例〕
長さ１ｍ、幅１１５ｃｍ、厚み８０μｍによるＴＡＣフィルム材を基材に適用し、この基材の片面に、光配向層に係る塗工液を、乾燥厚みが０．１μｍとなるように塗工して乾燥させ、光配向層の材料層を作製した。ここでこの塗工液は、重合性アクリル材料と、開始剤と、トルエンと、メチルエチルケトンとからなる組成物である。その後、マスクを使用した直線偏光による紫外線の照射により、領域Ａ及びＢを、基材の長手方向と直交する方向に交互に作製し、配向層を作製した。
【００４７】
その後、次式による重合性棒状液晶と、ＭＩＢＫと、光開始剤とからなる組成物による塗工液を、乾燥厚みが１μｍになるよう塗工、乾燥した後、無偏光の紫外線の照射により重合し、位相差層を作製し、これにより位相差フィルムを作製した。
【００４８】
【化２】
0006520275.tif 000003
【００４９】
このようにして作成した位相差フィルムを、その長手方向が吸収軸方向となるように設定した同一サイズの直線偏光板と貼り合せ、化粧材用フィルム材４Ａ作製した。また同様にして、同一サイズの蒸着フィルムと積層し、化粧材用部材４Ｂを作製した。またこのようにして作製した化粧材用部材４Ａと化粧材用フィルム４Ｂとを積層して観察した。
【００５０】
この実施例では、透明感を有し、立体感、奥行き感を有する特異な意匠性による模様を視認することができた。
【００５１】
なおこのようにして作製した化粧材用フィルム材４Ａ同志を積層し、２枚の化粧材用フィルム材４Ａの積層体を作製して比較例とし、実施例との比較を見た。なおこの化粧用フィルム材では、位相差層に係る乾燥厚みを１．２μｍとした点を除いて、実施例１と同一に作製した。この比較例では、何ら化粧材として機能するような模様等を見て取ることができなかった。
【００５２】
〔第２実施形態〕
図４は、図１との対比により本発明の第２実施形態に係る化粧材を示す図である。この化粧材２１は、化粧材用部材３と化粧材用フィルム材４との間に、透明板材２２が配置され、この透明板材２２により化粧材用部材３と化粧材用フィルム材４とが離間して配置される。
【００５３】
ここでこの透明板材２２は、例えばガラス板等の光学的異方性の小さな透明板材が適用される。
【００５４】
このように透明板材により化粧材用部材３と化粧材用フィルム材４とを離間して配置することにより、一段と立体感、奥行き感を強調することができる。
【００５５】
〔第３実施形態〕
この実施形態では、光学的異方性の小さな透明板材に代えて、例えばアクリル板等の光学的異方性の大きな透明板材を化粧材用部材３と化粧材用フィルム材４との間に配置する点を除いて、第２実施形態と同一に構成される。
【００５６】
このように化粧材用部材３と化粧材用フィルム材４との間に、光学異方性の大きな透明板材を配置する場合にあっては、この透明板材により透過光に付与する位相差、波長分散特性に応じて、領域ＡＲ１、ＡＲ２における色味が変化することになる。またこの透明板材の向きの変化により、この領域ＡＲ１、ＡＲ２の色味が変化することになる。これによりこの実施形態では、一段と意匠性を向上し、デザインの自由度、柔軟性を向上することができる。
【００５７】
〔他の実施形態〕
以上、本発明の実施に好適な具体的な構成を詳述したが、本発明は、本発明の趣旨を逸脱しない範囲で、上述の実施形態の構成を種々組み合わせたり、変更したりすることができる。
【００５８】
すなわち上述の実施形態では、配向層の配向規制力により液晶材料を固化して位相差層を作製する場合について述べたが、本発明はこれに限らず、例えば位相差層に光配向性の液晶ポリマーを適用することにより、直接、液晶材料を固化して位相差層を作製し、配向層を省略するようにしてもよい。
【００５９】
また上述の第２及び第３の実施形態では、光学異方性の小さな透明板材、光学異方性の大きな透明板材を配置する場合について述べたが、本発明はこれに限らず、例えば光学異方性の異なる複数種類の透明部材を面内方向に配置することにより、化粧材用部材３と化粧材用フィルム材４との間を、異なるリタデーション値の領域によりパターンニングしてもよい。具体的には、光学異方性の大きな透明材をスペーサとして化粧材用部材３と化粧材用フィルム材４との間に配置するような場合である。
【符号の説明】
【００６０】
１、２１  化粧材
２  貼り付け対象
３  化粧材用部材
４  化粧材用フィルム材
５  接着剤層
６  反射部材
７、９  位相差フィルム
７Ａ、９Ａ  位相差層
７Ｂ、９Ｂ  基材
７Ｃ、９Ｃ  配向層
２２  透明板材
【図１】
0006520275.tif 000004
【図２】
0006520275.tif 000005
【図３】
0006520275.tif 000006
【図４】
0006520275.tif 000007